(57)【要約】【課題】つま先を効率的に温めることができる靴下セットを提供する。【解決手段】発熱靴下セット１は、発熱する発熱体２と、ユーザの少なくともつま先からかかとまでを収納可能な形状の靴下本体部６と、靴下本体部６の外側もしくは内側に形成され、収納可能に形成して、発熱体２を取り換えることが可能に形成した発熱体収納部４と、を有する。【選択図】図１
2019014999.tif 000002
【特許請求の範囲】
【請求項１】
発熱する発熱体と、
ユーザの少なくともつま先からかかとまでを収納可能な形状の靴下本体部と、
前記靴下本体部の外側もしくは内側に形成され、
収納可能に形成して、前記発熱体を取り換えることが可能に形成した
発熱体収納部と、
を有する
発熱靴下セット。
【請求項２】
前記発熱体収納部は、前記靴下本体部と接合されている
請求項１に記載の発熱靴下セット。
【請求項３】
前記発熱体収納部は、装着したユーザのつま先の少なくとも上側部分及び下側部分を前記発熱体が跨ぐように形成されている
請求項1または２に記載の発熱靴下セット。
【請求項４】
前記発熱体は、面発熱の発熱部を有している
請求項１〜３のいずれか1項に記載の発熱靴下セット。
【請求項５】
前記発熱体は、
発熱部と、
前記発熱部へ電気を伝達する配線部の少なくとも一部と、
が伸縮性を有する
請求項１〜４のいずれか１項に記載の発熱靴下セット。
【請求項６】
前記発熱体収納部も伸縮性を有する
請求項５に記載の発熱靴下セット。
【請求項７】
ユーザの少なくともつま先からかかとまでを収納可能な形状の靴下本体部と、
前記靴下本体部の外側もしくは内側に形成され、
発熱体を収納可能に形成して、前記発熱体を取り換えることが可能に形成した
発熱体収納部と、
を有する靴下。
【発明の詳細な説明】
【技術分野】
【０００１】
本発明は、温熱靴下セットに関する。
【背景技術】
【０００２】
特許文献１には２重の靴下の間に発熱材を挿入し、靴下を足の甲や底の任意の位置を温めたり、冷したりすることができる靴下の技術が開示されている。
【先行技術文献】
【特許文献】
【０００３】
【特許文献１】特開２０１５−１９６９３８号公報
【発明の概要】
【発明が解決しようとする課題】
【０００４】
しかしながら、特許文献１に記載の方法においては、足、特につま先部分を効率的に温めることが難しいという不利益がある。
【０００５】
本発明は、足を効率的に温めることができる靴下セットを提供することである。
【課題を解決するための手段】
【０００６】
本発明の靴下セットは、発熱する発熱体と、ユーザの少なくともつま先からかかとまでを収納可能な形状の靴下本体部と、前記靴下本体部の外側もしくは内側に形成され、収納可能に形成して、前記発熱体を取り換えることが可能に形成した発熱体収納部と、を有する。
【０００７】
好適には、前記発熱体収納部は、前記靴下本体部と接合されている。
【０００８】
好適には、前記発熱体収納部は、装着したユーザのつま先の少なくとも上側部分及び下側部分を前記発熱体が跨ぐように形成されている。
【０００９】
好適には、前記発熱体は、面発熱の発熱部を有している。
【００１０】
好適には、前記発熱体は、発熱部と、前記発熱部へ電気を伝達する配線部の少なくとも一部と、が伸縮性を有する。
【００１１】
好適には、前記発熱体収納部も伸縮性を有する。
【００１２】
本発明の靴下は、ユーザの少なくともつま先からかかとまでを収納可能な形状の靴下本体部と、前記靴下本体部の外側もしくは内側に形成され、発熱体を収納可能に形成して、前記発熱体を取り換えることが可能に形成した発熱体収納部と、を有する。
【発明の効果】
【００１３】
本発明における発熱体によって、足を効率的に温めることが可能となった。
【図面の簡単な説明】
【００１４】
【図１】本発明の実施形態に係る靴下セットを示す説明図である。
【図２】本発明の実施形態に係る発熱体を示す図である。
【図３】本発明の実施形態に係る靴下セットの断面図である。
【発明を実施するための形態】
【００１５】
＜第１の実施形態＞
【００１６】
図１は、本発明の実施形態に係る靴下セットを示す説明図である。
【００１７】
本実施形態に係る靴下セット１は、発熱体２と、発熱体収納部４と、靴下６とを有する。
【００１８】
発熱体２は、発熱体端子２１を有する。
【００１９】
発熱体２は、発熱体収納部４に収納され、発熱体端子２１と不図示の発熱体に電力を供給するための電力供給体の端子とを介して電力供給体と電気的に接続することで発熱する。
発熱収納部４は、靴下６に接合されている。
発熱収納部４は、靴下６の外側（又は内側）に形成されており、ユーザのつま先の少なくとも上側部分及び下側部分を発熱体２が跨ぐように構成されている。
靴下６は、ユーザの少なくともつま先からかかとまでを収納可能な形状を有している。
発熱体２と、発熱体収容部４は、それぞれ伸縮性を有する。
【００２０】
図２は、本発明の実施形態に係る発熱体を示す図である。
【００２１】
発熱体２は、発熱体端子２１と、配線部２２と、発熱部２３とを有する。
【００２２】
発熱体２は、装着したユーザのつま先の少なくとも上側部分及び下側部分を跨ぐように形成されている。ユーザの上側（すね〜足首〜甲側）部分の幅よりも、つま先部分の幅の方が広く形成されている。つまり、つま先を効率的に温めるために、つま先を覆うように幅が広く形成されている。
配線部２２は、発熱部２３へ電気を伝達する。
発熱部２３は、面発熱の発熱部である。発熱体２の配線部２２の少なくとも一部及び発熱部２３は、伸縮性を有する。すなわち、発熱体２の配線部２２の少なくとも一部及び発熱部２３は、布地に編み込まれた伸縮電線からなり、靴下セット１を装着したユーザが動く際には布地の伸縮に伴って伸縮する。伸縮電線は、極細の銀糸や銅糸等から構成されており、例えば株式会社三機コンシスが製造販売しているものが好適である。なお、株式会社三機コンシスの伸縮電線は、すでに展示会などに出展済みで特許出願（特開２０１６ー９２００９号公報）もなされた公知のものであり、当業者であればその詳細を容易に知ることができる。また、発熱部は、例えば、生地（織物）などの網目構造や不織布などの繊維が絡み合ったような構造により、収縮性を有している。収縮性を有することにより、ユーザが動いた場合であってもつま先を覆う状態を維持することが可能となり、効率よく温めることができる。また、収縮性を有することにより、ユーザの足の形状がどのような形状であっても、靴下と共にユーザの足にフィットし、効率的に足を温めることができる。
【００２３】
図３は、本発明の実施形態に係る靴下セットの断面図である。
【００２４】
靴下セット１の構成は図１で説明したため、その詳細を省略する。
【００２５】
発熱体２は、靴下６の外側で、靴下６と発熱体収納部４との間に、取り換え可能に設けられる。
発熱収納部４は、ユーザのつま先の少なくとも上側部分及び下側部分を発熱体２が跨ぐように構成されている。
発熱体端子２１は、ユーザが靴下セット１を装着した際に、つま先から遠い位置にくるように配される。
【００２６】
＜実施形態の構成及び効果＞
発熱靴下セット１は、発熱する発熱体２と、
ユーザの少なくともつま先からかかとまでを収納可能な形状の靴下６と、
靴下６の外側もしくは内側に形成され、
収納可能に形成して、発熱体２を取り換えることが可能に形成した
発熱体収納部４と、を有する。
このような構成を有することから、足を効率的に温めることができるという効果がある。
【００２７】
また、発熱体収納部４は、靴下６と接合されている。
このような構成を有することから、発熱体の収納ができるという効果がある。
【００２８】
また、発熱体収納部４は、装着したユーザのつま先の少なくとも上側部分及び下側部分を発熱体２が跨ぐように形成されている。
このような構成を有することから、つま先の全体を効果的に温めることができるという効果がある。
【００２９】
また、発熱体２は、面発熱の発熱部２３を有している。
このような構成を有することから、つま先全体を効率的に温めることができるという効果がある。
【００３０】
また、発熱体２は、
発熱部２３と、
発熱部へ電気を伝達する配線部２２の少なくとも一部と、
が伸縮性を有する。
このような構成を有することから、ユーザが動いたとしても、つま先全体に発熱部が接触することができるという効果がある。
【００３１】
また、発熱体収納部４も伸縮性を有する。
このような構成を有することから、発熱体が収納部からずれることがないという効果がある。
【００３２】
ユーザの少なくともつま先からかかとまでを収納可能な形状の靴下６と、
靴下６の外側もしくは内側に形成され、
発熱体２を収納可能に形成して、発熱体２を取り換えることが可能に形成した
発熱体収納部４と、
を有する。
このような構成を有することから、足を効率的に温めることができるという効果がある。
【００３３】
本発明の、構造、材料、各部材の連結、科学物質、などは、本発明の要旨を変更しない範囲で、様々に変更可能である。
材質も、自由に選択することが可能である。
例えば、２つ以上の部材を１つにすることも可能であるし、逆に、１つの部材を２つ以上の別の部材から構成して接続することも可能である。
また、上記実施形態は、あくまでも、現在のところの最良の形態の１つにすぎない。
【００３４】
＜定義等＞
本発明における発熱収納部４は、靴下６の外側に形成されているが、ユーザのつま先の少なくとも上側部分及び下側部分を発熱体２が跨ぐように構成されていれば、靴下６の内側に形成されていてもよい。
本発明における発熱体２は、発熱する素材であれば、電気によって発熱する素材に限定することなく、どのような素材であってもよい。
本発明における靴下セット１は、発熱体２と、発熱収納部４とが別体として構成されているが、全て一体に形成されていてもよい。つまり、発熱体２が靴下６に組み込まれる構成であってもよい。
本発明における発熱体端子２１は、図面上、丸型（ボタン型）の形状を有しているが、形状は限定しない。つまり、発熱体２が電気を利用して発熱する素材である場合、発熱体２と電力供給体とを電気的に接続可能であればよい。また、発熱体端子２１の位置については、ユーザが装着した際に邪魔にならない位置であれば、どのような位置であってよい。
【符号の説明】
【００３５】
１  靴下セット（発熱靴下セット）
２  発熱体
４  発熱収納部
６  靴下（靴下本体部）
【図１】
2019014999.tif 000003
【図２】
2019014999.tif 000004
【図３】
2019014999.tif 000005